(57)【要約】【課題】取り出しやすく、テンションがあまりかからず、１つにまとめるための資材が少なくすみ、見栄えがあまり悪くならないパッケージの組み合わせを提供する。【解決手段】本発明は、第１及び第２のパッケージ１００，２００と、第１及び第２の粘着シート３００Ａ，４００Ａとを含む、パッケージの組み合わせ１Ａであり、第１及び第２のパッケージが、積み重ねられており、第１の粘着シートを、第１及び第２のパッケージの間に形成される境界面５００をまたいで、第１のパッケージの第１の側面１１０と、第２のパッケージの第１の側面２１０とに貼り付け、第２の粘着シート４００Ａを、第１及び第２のパッケージの間に形成される境界面をまたいで、第１のパッケージの、第１の側面の反対側の第２の側面１２０と、第２のパッケージの、第１の側面の反対側の第２の側面２２０とに貼り付け、それにより、第１及び第２のパッケージが互いに固定されている。【選択図】図１
2015163533.tif 000002
【特許請求の範囲】
【請求項１】
第１のパッケージと、第２のパッケージと、第１及び第２の粘着シートとを含む、パッケージの組み合わせであって、
第１のパッケージと、第２のパッケージとが、積み重ねられており、
第１の粘着シートを、第１のパッケージと第２のパッケージとの間に形成される境界面をまたいで、第１のパッケージの第１の側面と、第２のパッケージの第１の側面とに貼り付け、
第２の粘着シートを、第１のパッケージと第２のパッケージとの間に形成される境界面をまたいで、第１のパッケージの、第１の側面の反対側の第２の側面と、第２のパッケージの、第１の側面の反対側の第２の側面とに貼り付け、
それにより、第１のパッケージと第２のパッケージとが互いに固定されている、前記パッケージの組み合わせ。
【請求項２】
第１の粘着シート及び／又は第２の粘着シートが、上下方向の中間領域に、非粘着領域もしくは弱粘着領域を有し、そして当該中間領域が前記境界面に重なるように貼り付けられている、請求項１に記載のパッケージの組み合わせ。
【請求項３】
横方向に延びる弱め線が形成されており、第１の粘着シート及び／又は第２の粘着シートが、前記弱め線と前記境界面とがほぼ一致するように貼り付けられている、請求項１又は２に記載のパッケージの組み合わせ。
【請求項４】
複数の弱め線が形成されている、請求項１〜３のいずれか一項に記載のパッケージの組み合わせ。
【請求項５】
持ち手として作用するような形状を有する非粘着領域もしくは弱粘着領域を有している、請求項１又は２に記載のパッケージの組み合わせ。
【請求項６】
第１の粘着シート及び／又は第２の粘着シートの周縁に、非粘着領域もしくは弱粘着領域が形成されている、請求項１〜５のいずれか一項に記載のパッケージの組み合わせ。
【請求項７】
第１のパッケージ及び／又は第２のパッケージが、前記境界面に凹部を有するようなパッケージ形状を有しており、第１の粘着シート及び／又は第２の粘着シートが、前記凹部をまたいで貼り付けられている、請求項１〜６のいずれか一項に記載のパッケージの組み合わせ。
【請求項８】
第１の粘着シート及び／又は第２の粘着シートの、第１のパッケージ及び第２のパッケージと接する面の反対側の面に印刷が施されている、請求項１〜７のいずれか一項に記載のパッケージの組み合わせ。
【請求項９】
前記第１のパッケージは、前記第１の側面と、前記第２の側面と、前記第２のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記第２のパッケージは、前記第１の側面と、前記第２の側面と、前記第１のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記複数物品は、前記第１〜４の側面からなる筒の方向に重ねられた複数の列をなし、該複数の列は、前記第１の側面から前記第２の側面に進む方向に並んでおり、
前記第５の側面及び第６の側面は、前記第１〜４の側面からなる筒を封着し、前記第１の側面から前記第２の側面に進む方向に延びるシール部をそれぞれ有し、
前記第５の側面及び第６の側面のうちの少なくとも１つの側面は、前記第１の側面から前記第２の側面に進む方向に隣接する、複数の物品の２つの列の境界に対応する位置に弱め線を有し、該弱め線は前記シール部と交差する、請求項１〜６のいずれか一項に記載のパッケージの組み合わせ。
【請求項１０】
第１のパッケージ及び／又は第２のパッケージが、衛生用品のパッケージである、請求項１〜９のいずれか一項に記載のパッケージの組み合わせ。
【請求項１１】
前記衛生用品のパッケージが、生理用ナプキンのパッケージ、陰唇間パッドのパッケージ、タンポンのパッケージ、使い捨ておむつのパッケージ及び尿取りパッドのパッケージから成る群から選択される、請求項１０に記載のパッケージの組み合わせ。
【発明の詳細な説明】
【技術分野】
【０００１】
本発明は、２つのパッケージを重ね、そして連結させたパッケージの組み合わせに関し、とくに衛生用品のパッケージの組み合わせに関する。
【背景技術】
【０００２】
複数の物品をまとめて包装しているパッケージを販売するとき、２つのパッケージを１組として販売する場合がある。このとき、２つのパッケージが１つにまとめられていると消費者は便利である。２つのパッケージを１つにまとめる方法には、たとえば、２つのパッケージを外装パッケージでまとめて包装する方法がある（たとえば、特許文献１）。また、他の方法には、２つのパッケージを帯で止めたり、２つのパッケージを重ね、そして、重ねた２つのパッケージをテープで巻いたりする方法がある。
【先行技術文献】
【特許文献】
【０００３】
【特許文献１】実開平２−７３１１６号公報
【発明の概要】
【発明が解決しようとする課題】
【０００４】
２つのパッケージを外装パッケージでまとめて包装する方法では、外装パッケージに包装されているパッケージを取り出すとき、外装パッケージを破らなければならず、面倒であるという問題点がある。帯で巻く方法では、パッケージにテンションがかかるので、パッケージ内の物品がダメージを受ける場合があるという問題点がある。とくにパッケージ内の物品が衛生用品等の柔らかい物である場合、パッケージが外れないように帯をきつく締める必要があるので、パッケージ内の物品がダメージを受ける可能性が高くなる。また、２つのパッケージを外装パッケージでまとめて包装する方法及び帯で巻く方法では、パッケージの体積に比例して外装パッケージが大きくなり帯が長くなるので、パッケージが大きくなるにしたがって、２つのパッケージを１つにまとめるために必要な資材が増加してしまうという問題点がさらにある。重ねた２つのパッケージをテープで巻く方法では、２つのパッケージを１つにまとめたものの見栄えが悪くなるという問題点がある。
【課題を解決するための手段】
【０００５】
本発明は、上記前記課題を解決すため、以下の構成を採用した。
すなわち、本発明は、第１のパッケージと、第２のパッケージと、第１及び第２の粘着シートとを含む、パッケージの組み合わせであって、第１のパッケージと、第２のパッケージとが、積み重ねられており、第１の粘着シートを、第１のパッケージと第２のパッケージとの間に形成される境界面をまたいで、第１のパッケージの第１の側面と、第２のパッケージの第１の側面とに貼り付け、第２の粘着シートを、第１のパッケージと第２のパッケージとの間に形成される境界面をまたいで、第１のパッケージの、第１の側面の反対側の第２の側面と、第２のパッケージの、第１の側面の反対側の第２の側面とに貼り付け、それにより、第１のパッケージと第２のパッケージとが互いに固定されている。また、第１の粘着シート及び／又は第２の粘着シートが、上下方向の中間領域に、非粘着領域もしくは弱粘着領域を有し、そして当該中間領域が境界面に重なるように貼り付けられている。好ましくは、横方向に延びる弱め線が形成されており、第１の粘着シート及び／又は第２の粘着シートが、弱め線と境界面とがほぼ一致するように貼り付けられている。さらに、複数の弱め線が形成されていてもよい。また、持ち手として作用するような形状を有する非粘着領域もしくは弱粘着領域を有している。好ましくは、第１の粘着シート及び／又は第２の粘着シートの周縁に、非粘着領域もしくは弱粘着領域が形成されている。さらに、第１のパッケージ及び／又は第２のパッケージが、境界面に凹部を有するようなパッケージ形状を有しており、第１の粘着シート及び／又は第２の粘着シートが、凹部をまたいで貼り付けられていてもよい。また、第１の粘着シート及び／又は第２の粘着シートの、第１のパッケージ及び第２のパッケージと接する面の反対側の面に印刷が施されている。好ましくは、第１のパッケージは、第１の側面と、第２の側面と、第２のパッケージと接する第３の側面と、該第３の側面の反対側の第４の側面と、第１〜４の側面からなる筒を塞ぐ第５の側面及び第６の側面とからなるガゼット状の包装袋と、該包装袋の中に含まれる複数の物品とから構成され、第２のパッケージは、第１の側面と、第２の側面と、第１のパッケージと接する第３の側面と、該第３の側面の反対側の第４の側面と、第１〜４の側面からなる筒を塞ぐ第５の側面及び第６の側面とからなるガゼット状の包装袋と、該包装袋の中に含まれる複数の物品とから構成され、複数物品は、第１〜４の側面からなる筒の方向に重ねられた複数の列をなし、該複数の列は、第１の側面から第２の側面に進む方向に並んでおり、第５の側面及び第６の側面は、第１〜４の側面からなる筒を封着し、第１の側面から第２の側面に進む方向に延びるシール部をそれぞれ有し、第５の側面及び第６の側面のうちの少なくとも１つの側面は、第１の側面から第２の側面に進む方向に隣接する、複数の物品の２つの列の境界に対応する位置に弱め線を有し、該弱め線はシール部と交差する。また、好ましくは、第１のパッケージ及び／又は第２のパッケージが、衛生用品のパッケージである。また、衛生用品のパッケージが、生理用ナプキンのパッケージ、陰唇間パッドのパッケージ、タンポンのパッケージ、使い捨ておむつのパッケージ及び尿取りパッドのパッケージから成る群から選択される。
【発明の効果】
【０００６】
本発明によれば、パッケージを取り出しやすく、パッケージにテンションがあまりかからず、２つのパッケージを１つにまとめるための資材が少なくすみ、パッケージの見栄えがあまり悪くならないパッケージの組み合わせを提供することができる。
【図面の簡単な説明】
【０００７】
【図１】図１は、本発明の第１の実施形態のパッケージの組み合わせを説明するための図である。
【図２】図２は、本発明のパッケージの組み合わせに含まれるパッケージを説明するための図である。
【図３】図３は、パッケージに含まれる物品を説明するための図である。
【図４】図４は、非粘着領域および弱粘着領域を説明するための図である。
【図５】図５は、本発明の第１の実施形態のパッケージの組み合わせの変形例を説明するための図である。
【図６】図６は、本発明の第２の実施形態のパッケージの組み合わせを説明するための図である。
【図７】図７は、本発明の第２の実施形態のパッケージの組み合わせの変形例を説明するための図である。
【図８】図８は、本発明の第２の実施形態のパッケージの組み合わせの変形例を説明するための図である。
【図９】図９は、本発明の第２の実施形態のパッケージの組み合わせの変形例を説明するための図である。
【図１０】図１０は、本発明の第３の実施形態のパッケージの組み合わせを説明するための図である。
【図１１】図１１は、本発明の第４の実施形態のパッケージの組み合わせを説明するための図である。
【発明を実施するための形態】
【０００８】
−第１の実施形態−
以下、図面を参照して本発明の第１の実施形態のパッケージの組み合わせを説明する。
図１は、本発明の第１の実施形態のパッケージの組み合わせ１Ａを説明するための図である。図１（ａ）は、本発明の第１の実施形態のパッケージの組み合わせの斜視図であり、図１（ｂ），（ｃ）は、本発明の第１の実施形態のパッケージの組み合わせに設けられた粘着シートを説明するための図である。図１（ａ）に示すように、パッケージの組み合わせ１Ａは、第１のパッケージ１００と、第２のパッケージ２００と、２枚の粘着シート３００Ａ，４００Ａを含む。
【０００９】
図２を参照して、第１のパッケージ１００と第２のパッケージとを説明する。第１のパッケージ１００と第２のパッケージとを一緒に説明するために、第１のパッケージ１００と第２のパッケージとを単にパッケージ１００（２００）と呼ぶ。
【００１０】
パッケージとは、物品が中に入っている包装袋である。この包装袋は、たとえば、ガゼット状の包装袋である。ガゼット状の包装袋は、両側縁が谷折りされた筒状のフィルムの上下の開口部をヒートシールで閉じることによって作製される。包装袋の材料は、ポリプロピレン、ポリエチレン、ポリエチレンテレフタレート等の一般的に使用されている公知のプラスチックフィルムである。
【００１１】
パッケージ１００（２００）は、前面１１０（２１０）と、前面１１０（２１０）の反対側の背面１２０（２２０）と、上面１３０（２３０）と、上面１３０（２３０）の反対側の底面１４０（２４０）と、右側面１５０（２５０）と、左側面１６０（２６０）とを有する。ここで、前面１１０（２１０）と、背面１２０（２２０）と、上面１３０（２３０）と、底面１４０（２４０）と、底面１４０（２４０）とから形成される筒の方向、すなわち左側面１６０（２６０）から右側面１５０（２５０）へ進む方向をＸ方向とし、背面１２０（２２０）から前面１１０（２１０）へ進む方向をＹ方向とし、底面１４０（２４０）から上面１３０（２３０）へ進む方向をＺ方向とする。
【００１２】
右側面１５０（２５０）には、筒状のフィルムの開口部をヒートシールで閉じるときに形成される右シール部１５２（２５２）が設けられている。右シール部１５２（２５２）は、右側面１５０（２５０）のＺ方向のほぼ真ん中に設けられており、Ｙ方向に延びている。右側面１５０（２５０）及びシール部１５２（２５２）のＹ方向のほぼ真ん中にはミシン目等の弱め線１５４（２５４）が形成されている。弱め線１５４（２５４）は、シール部１５２（２５２）が延びている方向と交差する方向、好ましくは直交する方向に延びていることが好ましい。弱め線１５４（２５４）は、図２に示す直線でもよいし、曲線や波線等でもよい。消費者は、シール部１５２（２５２）を指でつまんで、右側面１５０（２５０）の弱め線１５４（２５４）の部分を引き裂くことによって、パッケージ１００（２００）に含まれている物品を取り出すことができる。
【００１３】
左側面１６０（２６０）には、筒状のフィルムの開口部をヒートシールで封着するときに形成される左シール部１６２（２６２）が設けられている。左シール部１６２（２６２）は、左側面１６０（２６０）のＺ方向のほぼ真ん中に設けられており、Ｙ方向に延びている。
【００１４】
パッケージ１００（２００）内の物品１７０（２７０）は、生理用ナプキン、陰唇間パッド、タンポン、使い捨ておむつ及び尿取りパッド等の衛生用品、吸収性物品等を折り畳んだものである。図３を参照して、物品１７０（２７０）の一例として、生理用ナプキンなどの吸収性物品を折り畳んだものを説明する。図３（ａ）は物品の斜視図であり、図３（ｂ）は物品を展開した図である。物品１７０（２７０）は吸収性物品３０とそれを被包する内装シート３２とを含む。吸収性物品３０は、第１および第２端部３１ａ，３１ｂと、両側部３１ｃ，３１ｄとを有するパッド状であり、縦軸Ｐおよび横軸Ｑを有する。吸収性物品３０は、繊維不織布シートから形成された透液性のトップシート３３と、不透液性のバックシート３４と、両シート３３，３４間に介在された吸液性コア３５とを含む。吸液性コア３５は、高吸収性ポリマー粒子と粉砕パルプとを混合して所要の形状に賦型したものである。
【００１５】
吸収性物品３０は、縦軸Ｐの方向の中央部において横軸Ｑの方向の外方へ延びる一対のウイング部３６ａ，３６ｂを有する。吸収性物品３０の使用時に着用者の下着類等と対向することになる、ウイング部３６ａ，３６ｂの一方の面（非肌対向面）には、粘着剤が塗布された粘着部位３７ａ，３７ｂが形成されている。この粘着部位３７ａ，３７ｂは、剥離シート（図示せず）によって被覆されている。
【００１６】
吸水性物品３０のウイング部３６ａ，３６ｂを内側に折り返し、内装シート３２とともに吸水性物品３０を第１折曲線４０に沿って内側に折り返し、さらに、内装シート３２ともに吸水性物品３０を第２折曲線４１に沿って内側に折り返した後、内装シート３２の両側部をシールして、止着シール４４で内装シート３２の外面を止着することによって、物品１７０（２７０）を形成することができる。
【００１７】
図２に示すように、複数の物品１７０（２７０）をＸ方向に重ねて１列に並べたものをＹ方向に２つ並べたものがパッケージ１００（２００）に含まれている。Ｙ方向に２つに並んでいる物品同士の境界はパッケージ１００（２００）のほぼ真ん中になるため、Ｙ方向に２つに並んでいる物品同士の境界は、右側面１５０（２５０）の弱め線１５４（２５４）の位置とほぼ同じ位置である。すなわち、右側面１５０（２５０）の弱め線１５４（２５４）の位置は、Ｙ方向に２つ並んでいる物品同士の境界に対応する位置である。なお、複数の物品１７０（２７０）をＸ方向に重ねて１列に並べたものをＹ方向に３つ以上並べたものがパッケージ１００（２００）に含まれている場合、Ｙ方向に複数並んでいる物品同士の境界のそれぞれの位置と同じ位置の右側面１５０（２５０）に弱め線１５４（２５４）をそれぞれ設けるようにしてもよい。すなわち、右側面１５０（２５０）の弱め線１５４（２５４）の位置は、Ｙ方向に３つ以上並んでいる物品同士の境界にそれぞれ対応する位置であってもよい。
【００１８】
図１を参照して、粘着シート３００Ａと、粘着シート３００Ａが設けられている面の反対側の面に設けられている粘着シート４００Ａとを説明する。粘着シート３００Ａ，４００Ａは、シート基材の一方の面に粘着層を有するシート、ラベル又はシールである。粘着層は、常に粘着性を有していてもよいし、加熱されたときに粘着性を有するものでもよい。
【００１９】
粘着シート３００Ａ，４００Ａが設けられているパッケージの組み合わせ１Ａでは、第１のパッケージ１００の前面１１０と第２のパッケージ２００の前面２１０とが同じ向きであり、第１のパッケージ１００の底面１４０が第２のパッケージ２００の上面２３０と接するように、第１のパッケージ１００と第２のパッケージ２００とは積み重ねられている。粘着シート３００Ａは、第１のパッケージ１００と第２のパッケージ２００との間に形成される境界面５００をまたいで、第１のパッケージ１００の前面１１０と第２のパッケージ２００の前面２１０とに貼り付けられている。
【００２０】
粘着層粘着シート３００Ａは略矩形形状を有し、粘着シート３００Ａのパッケージ１００，２００と接する面には、粘着領域３１０Ａと、粘着シート３００Ａの端部に接着力を有さない非粘着領域３２０Ａとが設けられている。図４を参照して非粘着領域３２０Ａを説明する。図４（ａ）に示すように、非粘着領域３２０Ａは、たとえば、シート基材３０２Ａの一部に粘着層３０４Ａが形成されていない領域を設けることによって形成される。または、図４（ｂ）に示すように、粘着性を有さない樹脂層３０６Ａを粘着層３０４Ａの上に印刷法等によって設けることにより非粘着領域３２０Ａを形成してもよい。
【００２１】
非粘着領域３２０Ａを設けることより、パッケージの組み合わせ１Ａを第１のパッケージ１００と第２のパッケージ２００とに分けるときに、粘着シート３００Ａをはがすのが容易になる。なお、非粘着領域３２０Ａの代わりに、粘着領域３１０Ａに比べて接着力が弱い、弱粘着領域を粘着シート３００Ａの端部に設けるようにしてもよい。たとえば、図４（ｃ）に示すように、部分的に粘着層３０４Ａが露出するように、粘着性を有さない樹脂層３０６Ａを粘着層３０２Ａの上に印刷法等で薄く設けることによって弱粘着領域３３０Ａを形成してもよい。この場合も、粘着シート３００Ａの端の部分を容易にはがすことができ、これにより、粘着シート３００Ａをはがすのが容易になる。また、粘着シート３００Ａの形状は、矩形形状に限定されず、円形、三角形、五角形及び星形等の他の形状でもよい。
【００２２】
粘着シート３００Ａの接着力は、パッケージの組み合わせ１Ａをのうちの一方のパッケージのみを持って持ち運ぶとき、他方のパッケージが粘着シート３００Ａからはがれて落ちない程度の接着力であることが好ましい。また、粘着シート３００Ａの接着力は、消費者が、手作業でパッケージ１００，２００から剥離できる程度が好ましい。粘着シート３００Ａの強度は、パッケージの組み合わせ１Ａをのうちの一方のパッケージのみを持って持ち運ぶとき、他方のパッケージの重みで粘着シート３００Ａが伸びたり破れたりしない程度の強度であることが好ましい。
【００２３】
図１（ｂ）に示すように、粘着シート３００Ａのパッケージ１００，２００と接する面の反対側の面は、粘着シート３００Ａの粘着していない部分を示す文章３３０Ａ及びマーク３４０Ａ、パッケージの組み合わせ１Ａが２つのパッケージ１００，２００の組み合わせであることを示す文章３５０並びにパッケージが省資源化されている等のパッケージ１００，２００の情報を示すマーク３６０Ａ及び文章３７０Ａが表示されるように印刷が施されている。これにより、消費者は、パッケージの組み合わせ１Ａを構成するパッケージ１００，２００の数、粘着シート３００Ａを容易にはがせる部分及びパッケージ１００，２００の情報を容易に認識することができる。なお、粘着シート３００Ａの粘着していない部分を示す文章３３０Ａ、粘着シート３００Ａの粘着していない部分を示すマーク３４０Ａ、パッケージの組み合わせ１Ａが２つのパッケージ１００，２００の組み合わせであることを示す文章３５０、パッケージが省資源化されている等のパッケージ１００，２００の情報を示す文章３６０Ａ及びその情報を示すマークのうちの少なくとも１つを表示するようにしてもよい。
【００２４】
粘着シート３００Ａが設けられている面の反対側の面に設けられている粘着シート４００Ａは、境界面５００をまたいで第１のパッケージ１００の背面１２０と第２のパッケージの背面２２０とに貼り付けられている。粘着シート４００Ａの構成は、パッケージ１００，２００と接する面の反対側の面の表示が異なる以外、粘着シート３００Ａと同じである。
【００２５】
図１（ｃ）を参照して、粘着シート４００Ａにおけるパッケージ１００，２００と接する面の反対側の面の表示を説明する。図１（ｃ）に示すように、粘着シート４００Ａの粘着側の面の反対側の面に、商品コード４１０ＡとＪＡＮコード４２０Ａとが表示される。ＪＡＮコードとは、商品の国コード、メーカーコード及び商品アイテムコードをバーコードで表したものである。これにより、２つのパッケージ１００，２００のそれぞれにＪＡＮコードを印刷する必要がなくなる。なお、粘着シート４００Ａの粘着側の面の反対側の面に、ＪＡＮコード４２０Ａのみを表示するようにしてもよい。
【００２６】
２つのパッケージ１００，２００のそれぞれにＪＡＮコードを印刷した場合、バーコード読み取り装置が誤ってそれぞれのＪＡＮコードを読み取ってしまい、１つのパッケージの組み合わせを購入したにもかかわらず、２つのパッケージの組み合わせを購入したという間違いが生ずる場合がある。しかし、２つのパッケージ１００，２００のそれぞれにＪＡＮコードを印刷せずに、粘着シート４００ＡにＪＡＮコード４２０Ａを表示することにより、１つのパッケージの組み合わせ１Ａに１つのＪＡＮコードを表示させることができ、上記のような間違いを防止することができる。
【００２７】
なお、２つのパッケージ１００，２００のそれぞれにＪＡＮコードを印刷する場合、２つのパッケージ１００，２００を重ねたときに、一方のＪＡＮコードが隠れる場所に２つのパッケージ１００，２００のそれぞれにＪＡＮコードを印刷するようにしてもよい。たとえば、パッケージ１００，２００の上面１３０，２３０にＪＡＮコードを印刷すると２つのパッケージ１００，２００を重ねたときに、一方のＪＡＮコードが隠れる。
【００２８】
粘着シート３００Ａ，４００Ａは、市販のラベリングマシン等のラベル貼り機やシール貼り機等を使用して２つのパッケージ１００，２００を重ねたものに貼り付けられる。したがって、大がかりな生産設備を使用せずに、２つのパッケージ１００，２００を連結してパッケージの組み合わせ１Ａを作製することができる。
【００２９】
以上の本発明の第１の実施形態のパッケージの組み合わせ１Ａでは、次のような作用効果が奏する。
（１）第１のパッケージ１００と、第２のパッケージ２００と、２枚の粘着シート３００Ａ，４００Ａとを含む、パッケージの組み合わせ１Ａであって、第１のパッケージ１００と、第２のパッケージ２００とが、積み重ねられており、一方の粘着シート３００Ａを、第１のパッケージ１００と第２のパッケージ２００との間に形成される境界面５００をまたいで、第１のパッケージ１００の前面１１０と、第２のパッケージ２００の前面２１０とに貼り付け、他方の粘着シート４００Ａを、第１のパッケージ１００と第２のパッケージ２００との間に形成される境界面５００をまたいで、第１のパッケージの、前面１１０の反対側の背面１２０と、第２のパッケージ２００の、前面２１０の反対側の背面２２０とに貼り付け、それにより、第１のパッケージ１００と第２のパッケージ２１０とが互いに固定されているようにした。これにより、粘着テープ３００Ａ，４００Ａをはがしたり、破ったりするだけで、パッケージの組み合わせ１Ａを分解してパッケージ１００，２００を取り出すことができるので、パッケージ１００，２００を容易に取り出すことができる。また、粘着テープ３００Ａ，４００Ａは、パッケージ１００，２００をあまり締め付けないので、パッケージの組み合わせ１Ａのパッケージ１００，２００にテンションがあまりかからない。さらに、２つのパッケージ１００，２００の境界面５００付近に粘着テープ３００Ａを貼り付けるだけで２つのパッケージ１００，２００を１つのパッケージの組み合わせ１Ａにまとめることができ、パッケージ１００，２００の大きくなったり、パッケージ１００，２００に含まれている物品１７０，２７０の数が増えたりしても、粘着シート３００Ａ，４００Ａをあまり大きくする必要がないので、２つのパッケージを１つにまとめるための資材が少なくすむ。また、パッケージの見栄えがあまり悪くならない。
【００３０】
さらに、粘着シート３００Ａ，４００Ａをはがしてパッケージの組み合わせ１Ａを２つのパッケージ１００，２００に分解した後、はがした粘着シート３００Ａ，４００Ａをパッケージ１００，２００に貼り付けることによって、パッケージの組み合わせ１Ａを２つのパッケージ１００，２００に分解した場で、はがした粘着シート３００Ａ，４００Ａをゴミとして捨てる必要がなくなり、便利である。また、右側面１５０，２５０の弱め線１５４，２５４を引き裂くことによって生じた開口部を閉じた後、はがした粘着シート３００Ａ，４００Ａをその閉じた部分に貼り付けて閉じた状態を固定することによって、パッケージ１００，２００内に含まれる物品１７０，２７０が汚れるのを防止することができる。
【００３１】
（２）粘着シート３００Ａ，４００Ａの、第１のパッケージ１００及び第２のパッケージ２００と接する面の反対側の面に印刷が施されているようにした。これにより、粘着シート３００Ａの粘着していない部分を示す文章３３０Ａ及びマーク３４０Ａ、パッケージの組み合わせ１Ａが２つのパッケージ１００，２００の組み合わせであることを示す文章３５０、パッケージが省資源化されている等のパッケージ１００，２００の情報を示すマーク３６０Ａ及び文章３７０Ａ、商品コード４１０Ａ並びにＪＡＮコード４２０Ａ等の様々な情報を粘着シート３００Ａ，４００Ａに表示することができる。
【００３２】
（３）粘着シート３００Ａの端部に非粘着領域３２０Ａもしくは弱粘着領域を設けるようにした。これにより、パッケージの組み合わせ１Ａを第１のパッケージ１００と第２のパッケージ２００とに分けるときに、粘着シート３００Ａをはがすのが容易になる。
【００３３】
（４）第１のパッケージ１００は、前面１１０と、背面１２０と、第２のパッケージ２００と接する底面１４０と、底面１４０の反対側の上面１３０と、前面１１０、背面１２０、上面１３０及び底面１４０からなる筒を塞ぐ左側面１６０及び右側面１５０とからなるガゼット状の包装袋と、包装袋の中に含まれる複数の物品１７０とから構成され、第２のパッケージ２００は、前面２１０と、背面２２０と、第２のパッケージ１００と接する上面２３０と、上面２３０の反対側の底面１４０と、前面２１０、背面２２０、上面２３０及び底面２４０からなる筒を塞ぐ左側面２６０及び右側面２５０とからなるガゼット状の包装袋と、包装袋の中に含まれる複数の物品２７０とから構成され、複数物品１７０，２７０は、前面２１０、背面２２０、上面２３０及び底面２４０からなる筒の方向に重ねられた複数の列をなし、その複数の列は、前面１１０，２１０から背面１２０，２２０に進む方向に並んでおり、左側面１６０，２６０及び右側面１５０，２５０は、前面１１０，２１０、背面１２０，２２０、上面１３０，２３０及び底面１４０，２４０からなる筒を封着し、前面１１０，２１０から背面１２０，２２０に進む方向に延びるシール部１５２，２５２をそれぞれ有し、右側面１５０，２５０は、前面１１０，２１０から背面１２０，２２０に進む方向に隣接する、複数の物品１７，２７０の２つの列の境界に対応する位置に弱め線１５４，２５４を有し、弱め線１５４，２５４はシール部１５２，２５２と交差するようにした。これにより、シール部１５２，２５２を把持して弱め線１５４，２５４を引き裂いた後に形成される開封口から製品を取り出すときに、開封口に指を入れると、指は、Ｙ方向に並んでいる２つの物品１７０，２７０の間に入る。したがって、弱め線１５４，２５４を引き裂いた後に形成される開封口に指が入り易くなるので、消費者は、物品１７０，２７０を容易に取り出すことができる。
【００３４】
（５）パッケージの組み合わせ１Ａでは、第１のパッケージ１００の前面１１０と第２のパッケージの前面２１０とが同じ向きであり、第１のパッケージ１００の底面１４０が第２のパッケージ２００の上面２３０と接するように、第１のパッケージ１００と第２のパッケージ２００とを積み重ねて、第１のパッケージ１００の前面１１０及び第２のパッケージ２００の前面２１０と、第１のパッケージ１００の背面１２０及び第２のパッケージ２００の背面２４０とに粘着シート３００Ａ，４００Ａを貼り付けるようにした。これにより、第１のパッケージ１００を第２のパッケージ２００の上に重ねても、第１のパッケージ１００の右側面１５０に形成されている弱め線１５４及び第２のパッケージ２００の右側面２５０に形成されている弱め線２５４が露出し、第１のパッケージ１００及び第２のパッケージ２００にパッケージの組み合わせ１Ａを分解しなくても第１のパッケージ１００及び第２のパッケージ２００の中から物品１７０，２７０を取り出すことができ、便利である。
【００３５】
以上の本発明の第１の実施形態のパッケージの組み合わせ１Ａを次のように変形することができる。
（１）以上の第１の実施形態のパッケージの組み合わせ１Ａでは、粘着シート３００Ａ，４００Ａのパッケージ１００，２００と接する面には、粘着領域３１０Ａと、非粘着領域３２０Ａ又は弱粘着領域とが設けられているようにしたが、２つの粘着シート３００Ａ，４００Ａうちの少なくとも一方の粘着シートのパッケージ１００，２００と接する面には、粘着領域３１０Ａのみが設けられているようにしてもよい。
【００３６】
（２）以上の第１の実施形態のパッケージの組み合わせ１Ａでは、２つの粘着シート３００Ａ，４００Ａの両方の、パッケージ１００，２００と接する面の反対側の面に印刷が施されているようにしたが、粘着シート３００Ａ及び粘着シート４００Ａのうちの一方の粘着シートのパッケージ１００，２００と接する面の反対側の面のみに印刷が施されているようにしてもよい。
【００３７】
（３）以上の第１の実施形態のパッケージの組み合わせ１Ａでは、第１のパッケージ１００の前面１１０と第２のパッケージの前面２１０とが同じ向きであり、第１のパッケージ１００の底面１４０が第２のパッケージの上面２３０と接するように、第１のパッケージ１００と第２のパッケージとを積み重ね、第１のパッケージ１００の前面１１０及び第２のパッケージ２００の前面２１０と、第１のパッケージ１００の背面１２０及び第２のパッケージ２００の背面２４０とに粘着シート３００Ａ，４００Ａを貼り付けるようにした。しかし、第１のパッケージ１００の前面１１０と第２のパッケージの背面２２０とが同じ向きであるように、第１のパッケージ１００と第２のパッケージとを積み重ねて、第１のパッケージ１００の前面１１０及び第２のパッケージ２００の背面２２０と、第１のパッケージ１００の背面１２０及び第２のパッケージ２００の前面２１０とに粘着シート３００Ａ，４００Ａを貼り付けるようにしてもよいし、第１のパッケージ１００の底面１４０が第２のパッケージの底面２４０と接するように、もしくは第１のパッケージ１００の上面１３０が第２のパッケージの上面２３０と接するように第１のパッケージ１００と第２のパッケージとを積み重ね、第１のパッケージ１００の前面１１０及び第２のパッケージ２００の前面２１０と、第１のパッケージ１００の背面１２０及び第２のパッケージ２００の背面２４０とに、もしくは第１のパッケージ１００の前面１１０及び第２のパッケージ２００の背面２２０と、第１のパッケージ１００の背面１２０及び第２のパッケージ２００の前面２１０とに粘着シート３００Ａ，４００Ａを貼り付けるようにしてもよい。この場合も、２つのパッケージ１００，２００を積み重ねても、第１のパッケージ１００の右側面１５０に形成されている弱め線１５４及び第２のパッケージ２００の右側面２５０に形成されている弱め線２５４が露出し、第１のパッケージ１００及び第２のパッケージ２００にパッケージの組み合わせ１Ａを分解しなくても物品１７０，２７０を第１のパッケージ１００及び第２のパッケージ２００の中から取り出すことができ、便利である。
【００３８】
（４）第１のパッケージ１００の右側面１５０及び左側面１６０の両方に弱め線を形成してもよいし、第１のパッケージ１００の右側面１５０に弱め線を形成しないで左側面１６０のみに弱め線を形成してもよい。また、第２のパッケージ２００の右側面２５０及び左側面２６０の両方に弱め線を形成してもよいし、第２のパッケージ２００の右側面２５０に弱め線を形成しないで左側面２６０のみに弱め線を形成してもよい。
【００３９】
（５）以上の第１の実施形態のパッケージの組み合わせ１Ａでは、粘着シート３００Ａの端部に非粘着領域３２０Ａもしくは弱粘着領域を設けるようにした。しかし、非粘着領域３２０Ａもしくは弱粘着領域を設ける領域は、粘着シートの周縁であれば粘着シート３００Ａの端部に限定されない。たとえば、図５に示すパッケージの組み合わせ１Ｂの粘着シート３００Ｂのように、粘着領域３１０Ｂと、粘着シート３００Ｂの角に非粘着領域もしくは弱粘着領域３２０Ｂとを粘着シート３００Ｂに設けるようにしてもよい。この場合も、パッケージの組み合わせ１Ｂを第１のパッケージ１００と第２のパッケージ２００とに分けるときに、粘着シート３００Ｂをはがすのが容易になる。他方の粘着シート４００Ａの場合も非粘着領域３２０Ａもしくは弱粘着領域を設ける領域は、粘着シートの周縁であれば粘着シート３００Ａの端部に限定されない。
【００４０】
（６）粘着シート４００Ａについても、粘着シート３００Ａと同じように、粘着シート３００Ａの粘着していない部分を示す文章３３０Ａ及びマーク３４０Ａ、パッケージの組み合わせ１Ａが２つのパッケージ１００，２００の組み合わせであることを示す文章３５０並びにパッケージが省資源化されている等のパッケージ１００，２００の情報を示すマーク３６０Ａ及び文章３７０Ａが表示されるようにしてもよい。
【００４１】
（７）第１のパッケージ１００の側面１５０，２６０と第２のパッケージ２００の側面２５０，２６０とに境界面５００をまたいで粘着シート３００Ａをさらに貼り付けてもよい。これにより、粘着シート３００Ａの表示を消費者に見えやすくするためのパッケージの組み合わせの陳列の向きの制約を減らすことができる。
【００４２】
（８）粘着シートのパッケージ１００，２００と接する面に、粘着領域と、粘着シートのＺ方向、すなわち上下方向の中間領域に、非粘着領域もしくは弱粘着領域とを設け、そしてこの中間領域が境界面５００に重なるようにしてもよい。これにより、非粘着領域もしくは弱粘着領域の中間領域に指を入れて、そこから粘着シートを容易にはがすことができる。とくに粘着シートの中間領域が境界面５００と重なっているので、境界面５００に沿って弱粘着領域の中間領域に指を容易に入れることができる。
【００４３】
−第２の実施形態−
以下、図６を参照して本発明の第２の実施形態のパッケージの組み合わせを説明する。
図６は、本発明の第２の実施形態のパッケージの組み合わせを説明するための図である。図６（ａ）は、本発明の第２の実施形態のパッケージの組み合わせの斜視図であり、図６（ｂ）は、本発明の第２の実施形態のパッケージの組み合わせに設けられた粘着シートを説明するための図である。図６（ａ）に示すように、パッケージの組み合わせ１Ｃは、第１のパッケージ１００と、第２のパッケージ２００と、２枚の粘着シート３００Ｃ，４００Ａとを含む。
【００４４】
第２の実施形態のパッケージの組み合わせ１Ｃにおける第１のパッケージ１００、第２のパッケージ２００及び粘着シート４００Ａは、第１の実施形態のパッケージの組み合わせ１Ａにおける第１のパッケージ１００、第２のパッケージ２００及び粘着シート４００Ａと同じであるので、第２の実施形態のパッケージの組み合わせ１Ｃにおける第１のパッケージ１００、第２のパッケージ２００及び粘着シート４００Ａの説明を省略する。また、第２の実施形態のパッケージの組み合わせ１Ｃにおける第１のパッケージ１００及び第２のパッケージ２００の積み重ね方も、第１の実施形態のパッケージの組み合わせ１Ａにおける第１のパッケージ１００及び第２のパッケージ２００の積み重ね方と同様であるので、第２の実施形態のパッケージの組み合わせ１Ｃにおける第１のパッケージ１００及び第２のパッケージ２００の積み重ね方の説明も省略する。
【００４５】
粘着シート３００Ｃは、第１のパッケージ１００と第２のパッケージ２００との間に形成される境界面５００をまたいで、第１のパッケージ１００の前面１１０と第２のパッケージの前面２１０とに貼り付けられている。
【００４６】
粘着シート３００Ｃは略矩形形状を有し、粘着シート３００Ｃのパッケージ１００，２００と接する面の全面には粘着領域が設けられている。また、粘着シート３００Ｃには、粘着シート３００ＣのＸ方向、すなわち横方向に延びる弱め線３１０Ｃが形成されている。粘着シート３００Ｃの弱め線３１０Ｃは、境界面５００とほぼ一致する。これにより、パッケージの組み合わせ１Ａを第１のパッケージ１００と第２のパッケージ２００とに分けるときに、粘着シート３００Ｃを切断するのが容易になる。また、粘着シート３００Ｃの形状は、矩形形状に限定されず、円形、三角形、五角形及び星形等の他の形状でもよい。
【００４７】
粘着シート３００Ｃの接着力は、パッケージの組み合わせ１Ｃをのうちの一方のパッケージのみを持って持ち運ぶとき、他方のパッケージが粘着シート３００Ｃからはがれて落ちないことが好ましい。第１の実施形態のパッケージの組み合わせ１Ａにおける粘着シート３００Ａと異なり、粘着シート３００Ｃの接着力は、消費者が、手作業でパッケージ１００，２００から剥離できない程度でもよい。粘着シート３００Ｃの強度は、パッケージの組み合わせ１Ｃをのうちの一方のパッケージのみを持って持ち運ぶとき、他方のパッケージの重みで粘着シート３００Ｃが伸びたり破れたりしないことが好ましい。
【００４８】
図６（ｂ）に示すように、粘着シート３００Ｃのパッケージ１００，２００と接する面の反対側の面は、粘着シート３００Ｃの弱め線の位置を示す文章３２０Ｃ及びマーク３３０Ｃ、パッケージの組み合わせ１Ｃが２つのパッケージ１００，２００の組み合わせであることを示す文章３５０Ａ並びにパッケージが省資源化されている等のパッケージ１００，２００の情報を示すマーク３６０Ａ及び文章３７０Ａが表示されるように印刷が施されている。これにより、消費者は、パッケージの組み合わせ１Ｃを構成するパッケージ１００，２００の数、粘着シート３００Ｃを容易に切断できる部分及びパッケージ１００，２００の情報を容易に認識することができる。なお、粘着シート３００Ｃの弱め線の位置を示す文章３２０Ｃ及びマーク３３０Ｃ、パッケージの組み合わせ１Ｃが２つのパッケージ１００，２００の組み合わせであることを示す文章３５０Ａ並びにパッケージ１００，２００の情報を示すマーク３６０Ａ及びパッケージ１００，２００の情報を示す文章３７０Ａのうちの少なくとも１つを粘着シートに表示するようにしてもよい。
【００４９】
なお、粘着シート４００Ａにおいても、粘着シート３００Ｃと同じように、粘着シート４００Ａのパッケージ１００，２００と接する面の全面に粘着領域を設け、境界面５００と位置がほぼ一致する弱め線を設けてもよい。
【００５０】
以上の本発明の第２の実施形態のパッケージの組み合わせ１Ｃでは、本発明の第１の実施形態のパッケージの組み合わせ１Ａが奏する効果の他に、次のような作用効果が奏する。
横方向に延びる弱め線３１０Ｃが形成されており、粘着シート３００Ｃ又は粘着シート３００Ｃもしくは粘着シート４００Ａが、弱め線３１０Ｃと第１のパッケージ１００と第２のパッケージ２００との間に形成される境界面５００とがほぼ一致するように貼り付けられているようにした。これにより、第１のパッケージ１００と第２のパッケージ２００とにパッケージの組み合わせ１Ａを分けるときに、粘着シート３００Ｃを切断するのが容易になる。また、粘着シート３００Ｃを切断してパッケージの組み合わせ１Ａを２つのパッケージ１００，２００に分解した後、切断された粘着シート３００Ｃはパッケージ１００，２００に貼り付いているので、パッケージの組み合わせ１Ｃを２つのパッケージ１００，２００に分解した場で粘着シート３００Ｃをゴミとして捨てる必要がなくなり、便利である。
【００５１】
以上の本発明の第２の実施形態のパッケージの組み合わせ１Ｃを次のように変形することができる。
（１）以上の第２の実施形態のパッケージの組み合わせ１Ｃでは、粘着シート３００Ｃ形成される弱め線３１０Ｃは１本であるが、複数の弱め線を粘着シートに形成するようにしてもよい。たとえば、図７のパッケージの組み合わせ１Ｄの粘着シート３００Ｄが示すように、境界面５００とほぼ一致する弱め線３１０Ｄの他に、弱め線３１０Ｄと平行であり、弱め線３１０Ｄの両側に設けられた弱め線３４０Ｄ，３５０Ｄと、弱め線３１０Ｄと交わる斜め方向の弱め線３２０Ｄ，３３０Ｄとを粘着シート３００Ｄに設けるようにしてもよい。これにより、粘着シート３００Ｄを切断する位置及び／又は方向の自由度が増えるので、第１のパッケージ１００と第２のパッケージ２００とにパッケージの組み合わせ１Ａを分けるとき、粘着シート３００Ｃを切断するのがさらに容易になる。粘着シート４００Ａにおいても粘着シート３００Ｄと同様の弱め線３１０Ｄ〜３５０Ｄを形成するようにしてもよい。
【００５２】
（２）図８のパッケージの組み合わせ１Ｅの粘着シート３００Ｅが示すように、境界面５００をはさんで、境界面５００と平行な２本の弱め線３１０Ｅ，３２０Ｅを粘着シート３００Ｅに形成するようにしてもよい。この場合、２本の弱め線３１０Ｅ，３２０Ｅによってはさまれる部分３３０Ｅがはがして、２つのパッケージ１００，２００にパッケージの組み合わせ１Ｅを分解することができる。粘着シート４００Ａにも粘着シート３００Ｅと同様な弱め線３１０Ｅ，３２０Ｅを形成するようにしてもよい。
【００５３】
（３）図９のパッケージの組み合わせ１Ｆの粘着シート３００Ｆが示すように、粘着シート３００Ｆのパッケージ１００，２００と接する面に、粘着領域３１０Ｆ及び弱め線３３０Ｆの他に粘着シート３００ＦのＺ方向、すなわち上下方向の中間領域に、非粘着領域もしくは弱粘着領域３２０Ｆを設け、そしてこの中間領域が境界面５００に重なるようにしてもよい。これにより、弱め線３３０Ｆの位置が境界５００からずれた場合であっても、第１のパッケージの組み合わせ１Ｆを第１のパッケージ１００と第２のパッケージ２００とに分けるときに、粘着シート３００Ｆを容易に切断することができる。したがって、この場合は、弱め線３３０Ｆの位置は、境界面５００と一致する必要はない。なお、粘着シート４００Ａにおいても粘着シート３３０Ｆと同様に、粘着領域３１０Ｆ、非粘着領域もしくは弱粘着領域３２０Ｆ並びに弱め線３３０Ｆを設けるようにしてもよい。
【００５４】
−第３の実施形態−
以下、図１０を参照して本発明の第３の実施形態のパッケージの組み合わせを説明する。
図１０は、本発明の第３の実施形態のパッケージの組み合わせを説明するための図であり、本発明の第３の実施形態のパッケージの組み合わせの斜視図である。図１０に示すように、パッケージの組み合わせ１Ｇは、第１のパッケージ１００と、第２のパッケージ２００と、２枚の粘着シート３００Ｇ，４００Ａを含む。
【００５５】
第３の実施形態のパッケージの組み合わせ１Ｇにおける第１のパッケージ１００、第２のパッケージ２００及び粘着シート４００Ａは、第１の実施形態のパッケージの組み合わせ１Ａにおける第１のパッケージ１００、第２のパッケージ２００及び粘着シート４００Ａと同じであるので、第３の実施形態のパッケージの組み合わせ１Ｇにおける第１のパッケージ１００、第２のパッケージ２００及び粘着シート４００Ａの説明を省略する。また、第３の実施形態のパッケージの組み合わせ１Ｇにおける第１のパッケージ１００及び第２のパッケージ２００の積み重ね方も、第１の実施形態のパッケージの組み合わせ１Ａにおける第１のパッケージ１００及び第２のパッケージ２００の積み重ね方と同様であるので、第３の実施形態のパッケージの組み合わせ１Ｇにおける第１のパッケージ１００及び第２のパッケージ２００の積み重ね方の説明も省略する。
【００５６】
粘着シート３００Ｇは、境界面５００をまたいで、第１のパッケージ１００の前面１１０と第２のパッケージ２００の前面２１０とに貼り付けられている。
【００５７】
粘着シート３００Ｇは略Ｚ字形状を有し、粘着シート３００Ｇのパッケージ１００，２００と接する面には、粘着領域３１０Ｇと非粘着領域３２０Ｇとが設けられている。粘着領域３１０Ｇは、粘着シート３００Ｇは略Ｚ字形状のうち、境界面５００と平行である２つの領域に設けられている。非粘着領域３２０Ｇは、粘着シート３００Ｇは略Ｚ字形状のうち、境界面５００と交差する領域に設けられている。粘着シート３００Ｇの非粘着領域３２０Ｇの部分は、持ち手として作用するような形状を有しているので、消費者は、粘着シート３００Ｇの非粘着領域３２０Ｇの部分を持って、パッケージの組み合わせ１Ｇを運ぶことができる。なお、非粘着領域３２０Ｇの代わりに弱粘着領域を設けてもよい。粘着シートの弱粘着領域をはがすことによって、弱粘着領域を持ち手として使用することができるからである。
【００５８】
粘着シート３００Ｇの接着力は、消費者が粘着シート３００Ｇの非粘着領域３２０Ｇの部分を持ってパッケージの組み合わせ１Ｇを運ぶとき、粘着シート３００Ｇがパッケージ１００，２００からはがれなければ、とくに限定されない。粘着シート３００Ｇの強度は、消費者が粘着シート３００Ｇの非粘着領域３２０Ｇの部分を持ってパッケージの組み合わせ１Ｇを運ぶとき、粘着シート３００Ｇが破れなければとくに限定されない。
【００５９】
以上の本発明の第３の実施形態のパッケージの組み合わせ１Ｇでは、本発明の第１の実施形態のパッケージの組み合わせ１Ａ及び第２の実施形態のパッケージの組み合わせ１Ｃが奏する効果の他に、次のような作用効果が奏する。
粘着シート３００Ｇは、持ち手として作用するような形状を有する非粘着領域を有するようにした。これにより、消費者は粘着シート３００Ｇの非粘着領域３２０Ｇの部分を持ってパッケージの組み合わせ１Ｇを運ぶことができ、便利である。
【００６０】
以上の本発明の第３の実施形態のパッケージの組み合わせ１Ｇを次のように変形することができる。
（１）粘着シートの形状は、持ち手として作用するような形状を含んでいれば、略Ｚ字形状に限定されない。たとえば、略Ｈ字形状や略Ｉ字形状であってもよい。たとえば、境界面５００と平行である２つの領域と境界面５００と直交する１つの領域とから構成される略Ｈ字形状の場合、境界面５００と平行である２つの領域が粘着領域であり、境界面５００と直交する領域が非粘着領域もしくは弱粘着領域である。また、境界面５００と直交する領域からなる略Ｉ字形状の場合、真ん中の領域が非粘着領域もしくは弱粘着領域であり、両端の２つの領域が粘着領域である。
【００６１】
（２）粘着シート３００Ｇにおいても、第１の実施形態のパッケージの組み合わせ１Ａにおける粘着シート３００Ａ，４００Ａと同様に、粘着シート３００Ｇの粘着していない部分を示す文章及びマーク、パッケージの組み合わせ１Ｇが２つのパッケージ１００，２００の組み合わせであることを示す文章、パッケージが省資源化されている等のパッケージ１００，２００の情報を示すマーク及び文章、商品コード並びにＪＡＮコード等の様々な情報を表示するようにしてもよい。
【００６２】
−第４の実施形態−
以下、図１１を参照して本発明の第４の実施形態のパッケージの組み合わせを説明する。
図１１は、本発明の第４の実施形態のパッケージの組み合わせを説明するための図であり、本発明の第４の実施形態のパッケージの組み合わせの斜視図である。図１１に示すように、パッケージの組み合わせ１Ｈは、第１のパッケージ１００と、第２のパッケージ２００と、２枚の粘着シート３００Ｈとを含む。
【００６３】
第４の実施形態のパッケージの組み合わせ１Ｈにおける第１のパッケージ１００及び第２のパッケージ２００は、第１の実施形態のパッケージの組み合わせ１Ａにおける第１のパッケージ１００及び第２のパッケージ２００と同じであるので、第４の実施形態のパッケージの組み合わせ１Ｈにおける第１のパッケージ１００及び第２のパッケージ２００の説明を省略する。また、第４の実施形態のパッケージの組み合わせ１Ｈにおける第１のパッケージ１００及び第２のパッケージ２００の積み重ね方も、第１の実施形態のパッケージの組み合わせ１Ａにおける第１のパッケージ１００及び第２のパッケージ２００の積み重ね方と同様であるので、第４の実施形態のパッケージの組み合わせ１Ｈにおける第１のパッケージ１００及び第２のパッケージ２００の積み重ね方の説明も省略する。
【００６４】
一方の粘着シート３００Ｈは、境界面５００をまたいで第１のパッケージ１００の右側面１５０と第２のパッケージ２００の右側面２５０とにテンションをかけて貼り付けられ、他方の粘着シート３００Ｈは、境界面５００をまたいで第１のパッケージ１００の左側面１６０と第２のパッケージ２００の左側面２６０とにテンションをかけて貼り付けられている。
【００６５】
粘着シート３００Ｈは略矩形形状を有し、粘着シート３００Ｈのパッケージ１００，２００と接する面の全面には粘着領域が設けられている。しかし、第１のパッケージ１００の右側面１５０の境界面５００側の領域１５６と第２のパッケージ２００の右側面２５０の境界面５００側の領域とを組み合わせると、境界面５００に凹部を有するような形状になるので、粘着シート３００ＨのＺ方向の２つの端部の領域３１０Ｈのみがパッケージ１００，２００と接着しており、粘着シート３００ＨのＺ方向の中間領域３２０Ｈはパッケージ１００，２００と接着していない。なお、粘着シート３００Ｈの形状は、矩形形状に限定されず、円形、三角形、五角形及び星形等の他の形状でもよい。また、粘着シート３００ＨのＺ方向の中間領域３２０Ｈはパッケージ１００，２００と接着しないので、中間領域３２０Ｈに非粘着領域もしくは弱粘着領域を設けてもよい。
【００６６】
粘着シート３００Ｈの接着力及び強度は、第１の実施形態の粘着シート３００Ａと同様であるので、粘着シート３００Ｈの接着力及び強度の説明は省略する。
【００６７】
以上の本発明の第４の実施形態のパッケージの組み合わせ１Ｈでは、本発明の第１〜３の実施形態のパッケージの組み合わせ１Ａ，１Ｃ，１Ｇが奏する効果の他に、次のような作用効果が奏する。
パッケージ１００，２００が、境界面５００に凹部を有するようなパッケージ形状を有しており、粘着シート３００Ｈが、凹部をまたいで貼り付けられているようにした。これにより、粘着シート３００Ｈとパッケージ１００，２００との間に隙間が生じ、粘着シート３００Ｈのパッケージ１００，２００に接する側の面にパッケージ１００，２００と粘着していない領域が生じるので、そこから粘着シート３００Ｈを容易にはがすことができ、便利である。
【００６８】
以上の本発明の第４の実施形態のパッケージの組み合わせ１Ｈを次のように変形することができる。
（１）第１の実施形態の粘着シート３００Ａ，４００Ａと同様に、２つの粘着シート３００Ｈのうち、一方の粘着シート３００Ｈのパッケージ１００，２００と接する面の反対側の面に、粘着シート３００Ｈの粘着していない部分を示す文章及びマーク、パッケージの組み合わせ１Ｈが２つのパッケージ１００，２００の組み合わせであることを示す文章並びにパッケージが省資源化されている等のパッケージ１００，２００の情報を示すマーク及び文章を表示し、他方の粘着シート３００Ｈのパッケージ１００，２００と接する面の反対側の面にＪＡＮコードを表示するようにしてもよい。
【００６９】
（２）２つの粘着シート３００Ｈのうち、一方の粘着シート３００Ｈのみについては境界面５００の凹部をまたがないで、境界面５００の凹部に沿ってパッケージ１００，２００に貼り付け、上述の第１の実施形態の粘着シート３００Ａや第２の実施形態の粘着シート３００Ｃと同様に、非粘着領域や弱め線を設けるようにしてもよい。
【００７０】
以上の第１〜４の実施形態のパッケージの組み合わせは、２つのパッケージを組み合わせたパッケージの組み合わせに係るものであるが、本発明は３つ以上のパッケージを組み合わせたパッケージの組み合わせにも適用することができる。
【００７１】
実施形態と変形例の一つ、もしくは複数を組み合わせることも可能である。変形例同士をどのように組み合わせることも可能である。
【００７２】
以上の説明はあくまで一例であり、発明は、上記の実施形態に何ら限定されるものではない。
【符号の説明】
【００７３】
１Ａ〜１Ｈ    パッケージの組み合わせ
３０    吸収性物品
３１ａ，３１ｂ    端部
３１ｃ，３１ｄ    両側部
３２    内装シート
３３    トップシート
３４    バックシート
３５    吸液性コア
１００    第１のパッケージ
２００    第２のパッケージ
１１０，２１０    前面
１２０、２２０    背面
１３０，２３０    上面
１４０，２４０    底面
１５０，２５０    右側面
１５２，１６２，２５２，２６２    シール部
１５４，２５４    弱め線
１６０，２６０    左側面
１７０，２７０    物品
３００Ａ〜３００Ｈ    粘着シート
３０２Ａ    シート基材
３０４Ａ    粘着層
３０６Ａ    樹脂層
３１０Ａ，３１０Ｂ，３１０Ｆ，３１０Ｇ    粘着領域
３２０Ａ，３２０Ｂ，３２０Ｆ，３２０Ｇ    非粘着領域
３１０Ｃ，３１０Ｄ，３２０Ｄ，３３０Ｄ，３４０Ｄ，３５０Ｄ，３１０Ｅ，３２０Ｅ    弱め線
【図１】
2015163533.tif 000003
【図２】
2015163533.tif 000004
【図３】
2015163533.tif 000005
【図４】
2015163533.tif 000006
【図５】
2015163533.tif 000007
【図６】
2015163533.tif 000008
【図７】
2015163533.tif 000009
【図８】
2015163533.tif 000010
【図９】
2015163533.tif 000011
【図１０】
2015163533.tif 000012
【図１１】
2015163533.tif 000013
【手続補正書】
【提出日】平成27年6月8日(2015.6.8)
【手続補正１】
【補正対象書類名】明細書
【補正対象項目名】００７２
【補正方法】変更
【補正の内容】
【００７２】
以上の説明はあくまで一例であり、本発明は、上記の実施形態に何ら限定されるものではない。
以下、本発明の好ましい形態を付記する。
〔付記１〕
第１のパッケージと、第２のパッケージと、第１及び第２の粘着シートとを含む、パッケージの組み合わせであって、
第１のパッケージと、第２のパッケージとが、積み重ねられており、
第１の粘着シートを、第１のパッケージと第２のパッケージとの間に形成される境界面をまたいで、第１のパッケージの第１の側面と、第２のパッケージの第１の側面とに貼り付け、
第２の粘着シートを、第１のパッケージと第２のパッケージとの間に形成される境界面をまたいで、第１のパッケージの、第１の側面の反対側の第２の側面と、第２のパッケージの、第１の側面の反対側の第２の側面とに貼り付け、
それにより、第１のパッケージと第２のパッケージとが互いに固定されている、前記パッケージの組み合わせ。
〔付記２〕
第１の粘着シート及び／又は第２の粘着シートが、上下方向の中間領域に、非粘着領域もしくは弱粘着領域を有し、そして当該中間領域が前記境界面に重なるように貼り付けられている、付記１に記載のパッケージの組み合わせ。
〔付記３〕
横方向に延びる弱め線が形成されており、第１の粘着シート及び／又は第２の粘着シートが、前記弱め線と前記境界面とがほぼ一致するように貼り付けられている、付記１又は２に記載のパッケージの組み合わせ。
〔付記４〕
複数の弱め線が形成されている、付記１〜３のいずれか一項に記載のパッケージの組み合わせ。
〔付記５〕
持ち手として作用するような形状を有する非粘着領域もしくは弱粘着領域を有している、付記１又は２に記載のパッケージの組み合わせ。
〔付記６〕
第１の粘着シート及び／又は第２の粘着シートの周縁に、非粘着領域もしくは弱粘着領域が形成されている、付記１〜５のいずれか一項に記載のパッケージの組み合わせ。
〔付記７〕
第１のパッケージ及び／又は第２のパッケージが、前記境界面に凹部を有するようなパッケージ形状を有しており、第１の粘着シート及び／又は第２の粘着シートが、前記凹部をまたいで貼り付けられている、付記１〜６のいずれか一項に記載のパッケージの組み合わせ。
〔付記８〕
第１の粘着シート及び／又は第２の粘着シートの、第１のパッケージ及び第２のパッケージと接する面の反対側の面に印刷が施されている、付記１〜７のいずれか一項に記載のパッケージの組み合わせ。
〔付記９〕
前記第１のパッケージは、前記第１の側面と、前記第２の側面と、前記第２のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記第２のパッケージは、前記第１の側面と、前記第２の側面と、前記第１のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記複数物品は、前記第１〜４の側面からなる筒の方向に重ねられた複数の列をなし、該複数の列は、前記第１の側面から前記第２の側面に進む方向に並んでおり、
前記第５の側面及び第６の側面は、前記第１〜４の側面からなる筒を封着し、前記第１の側面から前記第２の側面に進む方向に延びるシール部をそれぞれ有し、
前記第５の側面及び第６の側面のうちの少なくとも１つの側面は、前記第１の側面から前記第２の側面に進む方向に隣接する、複数の物品の２つの列の境界に対応する位置に弱め線を有し、該弱め線は前記シール部と交差する、付記１〜６のいずれか一項に記載のパッケージの組み合わせ。
〔付記１０〕
第１のパッケージ及び／又は第２のパッケージが、衛生用品のパッケージである、付記１〜９のいずれか一項に記載のパッケージの組み合わせ。
〔付記１１〕
前記衛生用品のパッケージが、生理用ナプキンのパッケージ、陰唇間パッドのパッケージ、タンポンのパッケージ、使い捨ておむつのパッケージ及び尿取りパッドのパッケージから成る群から選択される、付記１０に記載のパッケージの組み合わせ。
【手続補正２】
【補正対象書類名】特許請求の範囲
【補正対象項目名】全文
【補正方法】変更
【補正の内容】
【特許請求の範囲】
【請求項１】
それぞれが複数の柔らかい物品を収納した第１のパッケージ及び第２のパッケージと、それぞれの面表示が異なる第１及び第２の粘着シートとを含む、２つのパッケージを１組として販売するためのパッケージの組み合わせであって、
前記第１のパッケージ及び／又は第２のパッケージが、衛生用品のパッケージであり、
第１のパッケージと、第２のパッケージとが、第１のパッケージの底面と第２のパッケージの上面とが接して上下に積み重ねられており、
第１の粘着シートを、第１のパッケージと第２のパッケージとの間に形成される境界面をまたいで、第１のパッケージの第１の側面と、第２のパッケージの第１の側面とに貼り付け、
第２の粘着シートを、第１のパッケージと第２のパッケージとの間に形成される境界面をまたいで、第１のパッケージの、第１の側面の反対側の第２の側面と、第２のパッケージの、第１の側面の反対側の第２の側面とに貼り付け、
それにより、第１のパッケージと第２のパッケージとが互いに固定されている、前記パッケージの組み合わせ。
【請求項２】
第１の粘着シート及び／又は第２の粘着シートが、上下方向の中間領域に、非粘着領域もしくは弱粘着領域を有し、そして当該中間領域が前記境界面に重なるように貼り付けられている、請求項１に記載のパッケージの組み合わせ。
【請求項３】
横方向に延びる弱め線が形成されており、第１の粘着シート及び／又は第２の粘着シートが、前記弱め線と前記境界面とがほぼ一致するように貼り付けられている、請求項１又は２に記載のパッケージの組み合わせ。
【請求項４】
複数の弱め線が形成されている、請求項１〜３のいずれか一項に記載のパッケージの組み合わせ。
【請求項５】
持ち手として作用するような形状を有する非粘着領域もしくは弱粘着領域を前記第１のパッケージ及び／又は第２のパッケージが有している、請求項１又は２に記載のパッケージの組み合わせ。
【請求項６】
第１の粘着シート及び／又は第２の粘着シートの周縁に、非粘着領域もしくは弱粘着領域が形成されている、請求項１〜５のいずれか一項に記載のパッケージの組み合わせ。
【請求項７】
第１のパッケージ及び／又は第２のパッケージが、前記境界面に凹部を有するようなパッケージ形状を有しており、第１の粘着シート及び／又は第２の粘着シートが、前記凹部をまたいで貼り付けられている、請求項１〜６のいずれか一項に記載のパッケージの組み合わせ。
【請求項８】
第１の粘着シート及び／又は第２の粘着シートの、第１のパッケージ及び第２のパッケージと接する面の反対側の面に印刷が施されている、請求項１〜７のいずれか一項に記載のパッケージの組み合わせ。
【請求項９】
前記第１のパッケージは、前記第１の側面と、前記第２の側面と、前記第２のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記第２のパッケージは、前記第１の側面と、前記第２の側面と、前記第１のパッケージと接する第３の側面と、該第３の側面の反対側の第４の側面と、前記第１〜４の側面からなる筒を塞ぐ第５の側面及び第６の側面とからなるガゼット状の包装袋と、該包装袋の中に含まれる複数の物品とから構成され、
前記複数物品は、前記第１〜４の側面からなる筒の方向に重ねられた複数の列をなし、該複数の列は、前記第１の側面から前記第２の側面に進む方向に並んでおり、
前記第５の側面及び第６の側面は、前記第１〜４の側面からなる筒を封着し、前記第１の側面から前記第２の側面に進む方向に延びるシール部をそれぞれ有し、
前記第５の側面及び第６の側面のうちの少なくとも１つの側面は、前記第１の側面から前記第２の側面に進む方向に隣接する、複数の物品の２つの列の境界に対応する位置に弱め線を有し、該弱め線は前記シール部と交差する、請求項１〜６のいずれか一項に記載のパッケージの組み合わせ。
【請求項１０】
前記衛生用品のパッケージが、生理用ナプキンのパッケージ、陰唇間パッドのパッケージ、タンポンのパッケージ、使い捨ておむつのパッケージ及び尿取りパッドのパッケージから成る群から選択される、請求項１〜９のいずれか一項に記載のパッケージの組み合わせ。